(57)【特許請求の範囲】
【請求項１】
無線を含む通信回線から信号を受信してバイナリデータとして取得する手段と、バイナリデータから画像表示用データを取得する手段と、画像表示用データから色数・画像幅・画像高を取得する手段と、画像表示用データから色数・画素数を減じて容量の小さい画像表示用データに変換する手段と、画像表示用データを保存する手段と、表示部とを備え、信号受信時に画像表示用データから色数・画像幅・画像高を取得し、それら色数・画像幅・画像高のいずれか１つの情報が前記表示部の表示能力を超えているときには、前記表示部の表示能力に合わせて画像表示用データから色数を減じるとともに、前記表示部の表示能力に合わせた画像幅・画像高となるように画像表示用データから画素数を減じて、当該表示部の表示能力に合わせた容量の画像表示用データに変換し、その変換後の画像表示用データを保存するように構成されていることを特徴とする通信端末。
【請求項２】
保存した画像表示用データを、無線を含む通信回線に対して送信することを特徴とする請求項１記載の通信端末。
【請求項３】
保存した画像表示用データを前記表示部に表示することを特徴とする請求項１または２記載の通信端末。
【請求項４】
一度受信・保存した画像表示用データと同じ画像内容の画像表示用データを受信したときにはデータ受信を停止し、先に保存した画像表示用データを用いて画像を表示することを特徴とする請求項３記載の通信端末。
【請求項５】
前記画像表示用データのヘッダから色数・画像幅・画像高を取得することを特徴とする請求項１〜４のいずれかに記載の通信端末。
【発明の詳細な説明】
【０００１】
【発明の属する技術分野】
本発明は、画像データ受信機能を有する通信端末に関する。
【０００２】
【従来の技術】
通信端末においては、音声データを扱うだけでなく、画像表示用データを扱う端末が存在する。また、受信した画像表示用データについて、その画像を端末自体の表示部に表示できる端末も存在する。その一例として、画像表示用データを受信して端末表示部に画像表示する機能を備えた携帯電話端末がある。
【０００３】
しかし、通信端末が受信する画像表示用データに関しては端末表示部の表示能力よりも色数や画素数が大きい場合がある。この場合、通信端末は色数や画素数を減じて画像の表示を行っている。
【０００４】
【発明が解決しようとする課題】
ところで、一般に画像表示用データは、色数や画素数が大きくなると、データとしての容量が大きくなる。通信端末において受信した画像表示用データを保存して利用する場合、受信した画像表示用データに関して、通信端末の表示能力よりも色数や画素数が大きいときは、その分だけ保存できる画像表示用データの数量に影響が出てくる。
【０００５】
通信端末において保存した画像表示用データを通信回線で送信する場合、送信する画像表示用データのデータ容量が大きいと通信に時間がかかり、ひいては通信トラフィックの増大につながる。また、保存した画像表示用データを用いて画像を表示する場合、保存できる画像表示用データの数量が少なければ、保存用メモリ増強が必要となる可能性がある。
【０００６】
また、保存した画像表示用データと同じ画像表示用データを受信するときに、受信を行うことなしに保存した画像表示用データを表示して、通信時間と通信トラフィックの軽減をはかる場合、保存できる画像表示用データの数量が少ないと、目的とする効果を期待できない可能性がある。
【０００７】
本発明はそのような実情に鑑みてなされたもので、画像データ受信機能を有する通信端末において、保存できる画像表示用データの数量の増大をはかることを目的とする。
【０００８】
【課題を解決するための手段】
上記の目的を達成するため、本発明の通信端末は、無線を含む通信回線から信号を受信してバイナリデータとして取得する手段と、バイナリデータから画像表示用データを取得する手段と、画像表示用データから色数・画像幅・画像高を取得する手段と、画像表示用データから色数・画素数を減じて容量の小さい画像表示用データに変換する手段と、画像表示用データを保存する手段と、表示部とを備え、信号受信時に画像表示用データから色数・画像幅・画像高を取得し、それら色数・画像幅・画像高のいずれか１つの情報が前記表示部の表示能力を超えているときには、前記表示部の表示能力に合わせて画像表示用データから色数を減じるとともに、前記表示部の表示能力に合わせた画像幅・画像高となるように画像表示用データから画素数を減じて、当該表示部の表示能力に合わせた容量の画像表示用データに変換し、その変換後の画像表示用データを保存するように構成されていることによって特徴づけられる。
【０００９】
本発明の通信端末によれば、受信した画像表示用データの色数・画像幅・画像高のいずれか１つの情報が表示部の表示能力を超えているときには、表示部の表示能力に合わせて画像表示用データから色数を減じるとともに、表示部の表示能力に合わせた画像幅・画像高となるように画像表示用データから画素数を減じて、表示部の表示能力に合わせた容量の画像表示用データに変換して保存するので、一定のメモリに対して保存できる画像表示用データの数量が増大する。
【００１０】
本発明の通信端末において、保存した画像表示用データを、無線を含む通信回線に対して送信するという構成を採用してもよい。この場合、従来と比較して容量の小さい画像表示用データを通信回線に対して送信することができるので、通信時間を節約でき、また通信トラフィックの軽減にもつながる。
【００１１】
本発明の通信端末においては、保存した画像表示用データを表示する表示部を設けているので、画面表示に使用できる画像の数量が、一定のメモリに対して保存できる画像表示用データの数量に比例して増大する結果、従来と比較して通信端末の機能を強化することができる。
【００１２】
本発明の通信端末において、一度受信・保存した画像表示用データと同じ画像内容の画像表示用データを受信したときにはデータ受信を停止し、先に保存した画像表示用データを用いて画像を表示するという構成を採用すれば、一度受信した画像表示用データに関しては再度受信しなくて済むようになる。その結果、従来と比較して通信時間を節約でき、また通信トラフィックの軽減にもつながる。
【００１３】
【発明の実施の形態】
本発明の実施形態を、以下、図面に基づいて説明する。
【００１４】
図１は、本発明を適用した携帯電話端末の実施形態の構成を示すブロック図である。
【００１５】
まず、本実施形態において、携帯電話端末が受信して利用可能な画像表示用データは、ウィンドウズ標準のビットマップフォーマット（以下、ＢＭＰフォーマットという）であるものとする。
【００１６】
このＢＭＰフォーマットで実現される色数は、２５６色、６５５３６色、１６７７７２１６色などがあり、ＢＭＰフォーマットにおいてヘッダと呼ばれる部分に記述されている。また、画素数については画像幅・画像高（いずれもドット数）という情報でヘッダに記述されている。
【００１７】
さて、図１に示す携帯電話端末Ｍは、無線送受信部１、音声処理部２、音声出力用のスピーカ３、音声入力用のマイク４、一時保存用記憶装置６、データ保存用記憶装置７、データ取得手段８、色数・画素数取得手段９、データ変換手段１０、及び、これら機能部を後述する動作で制御する制御部５を備えている。制御部５には、文字や画像を表示するための表示部１１と、ユーザからの操作を受け付けるためのキー入力部１２が接続されている。ここで、表示部１１の表示能力は、色数２５６、幅１００ドット、高さ１５０ドットであるものとする。
【００１８】
データ取得手段８は、一時保存用記憶装置６に保存されたバイナリデータからＢＭＰフォーマットのデータを取得する。色数・画素数取得手段９は、ＢＭＰフォーマットのデータのヘッダから、色数・画素数（画像幅・画像高）の各情報を取得する。
【００１９】
データ変換手段１０は、一時保存用記憶装置６に保存されたデータを容量の小さいＢＭＰフォーマットのデータに変換する。
【００２０】
具体的には、表示部１１の表示能力（色数２５６、幅１００ドット、高さ１５０ドット）に合わせて、ＢＭＰフォーマットのデータから色数を２５６色に減じるとともに、画像の左端から１００ドット、上端から１５０ドットまでを有効にすることにより画素数を減じるという処理を行って、容量の小さいＢＭＰフォーマットのデータに変換する。
【００２１】
そして、制御部５には、色数・画素数取得手段９によって取得される、ＢＭＰフォーマットのデータの色数・画像幅・画像高の各情報に対する基準値が予め設定されている。この実施形態では、表示部１１の表示能力に合わせて、色数に対する基準値を２５６、画像幅に対する基準値を１００、画像高に対する基準値を１５０としている。
【００２２】
図１に示す携帯電話端末Ｍにおいて、音声通信を行う場合は、無線送受信部１にて受信された無線信号が音声データに変換されて音声処理部２に導かれ、スピーカ３から音声として出力される。逆に、マイク４から入力された音声は音声処理部２にて音声データに変換された後、無線送受信部１に導かれて無線信号として送信される。
【００２３】
また、データ通信を行う場合は、無線送受信部１にて受信された無線信号がバイナリデータに変換されて一時保存用記憶装置６に保存される。逆に、一時保存用記憶装置６に保存されたバイナリデータは無線送受信部１に導かれて無線信号として送信される。
【００２４】
次に、この実施形態の特徴部分の詳細を図２のフローチャートを参照しつつ説明する。
【００２５】
無線送受信部１で無線信号を受信すると、その無線信号をバイナリデータに変換して一時保存用記憶装置６に保存する（ステップＳ11）。次に、一時保存したバイナリデータからＢＭＰフォーマットのデータを取得し、その取得したデータを一時保存用記憶装置６に保存する（ステップＳ12）。
【００２６】
保存したＢＭＰフォーマットのデータのヘッダから、色数・画像幅・画像高の各情報を取得し（ステップＳ13）、それら色数・画像幅・画像高の各情報が、基準値（色数２５６、画像幅１００、画像高１５０）を超えているか否かを判定する（ステップＳ14，Ｓ15）。色数・画像幅・画像高のいずれか１つの情報が基準値を超えている場合は、次のような処理を行う。
【００２７】
ＢＭＰフォーマットのデータから、色数を２５６色に減じるとともに、画像の左端から１００ドット、上端から１５０ドットまでを有効にするという処理により画素数を減じて、容量の小さいＢＭＰフォーマットのデータに変換する。この変換後のデータをデータ保存用記憶装置７に保存して処理を終了する（ステップＳ16，Ｓ17）。
【００２８】
一方、色数・画像幅・画像高のいずれの情報も基準値を超えていない場合は、一時保存用記憶装置６に保存したＢＭＰフォーマットのデータを、そのままの状態でデータ保存用記憶装置７に保存した後（ステップＳ17）、処理を終了する。
【００２９】
次に、本発明の他の実施形態を図３のフローチャートを参照しつつ説明する。
【００３０】
この実施形態は、前記した図２の処理により、データ保存用記憶装置７に保存されたＢＭＰフォーマットのデータについて、データ送信要求があったときの処理に特徴がある。
【００３１】
すなわち、この実施形態では、キー入力部１２（図１）の操作により、ユーザから画像表示データの送信が要求されると（ステップＳ21）、その送信要求に応じて、データ保存用記憶装置７に保存されているＢＭＰフォーマットのデータを一時保存用記憶装置６に複写し（ステップＳ22）、次いで一時保存用記憶装置６内のＢＭＰフォーマットのデータを、無線送受信部１に出力して無線信号として送信する（ステップＳ23，Ｓ24）。
【００３２】
本発明の別の実施形態を図４のフローチャートを参照しつつ説明する。
【００３３】
この実施形態は、前記した図２の処理により、データ保存用記憶装置７に保存されたＢＭＰフォーマットのデータについて、データ表示要求があったときの処理に特徴がある。
【００３４】
すなわち、この実施形態では、キー入力部１２（図１）の操作により、ユーザから画像表示データの表示が要求されると（ステップＳ31）、その表示要求に応じて、データ保存用記憶装置７に保存されているＢＭＰフォーマットのデータを、一時保存用記憶装置６に複写し（ステップＳ32）、次いで一時保存用記憶装置６内のＢＭＰフォーマットのデータを、表示部１１に出力して表示する（ステップＳ33，Ｓ34）。このとき、ＢＭＰフォーマットのデータは、色数が２５６以下、画像幅が１００ドット以下、画像高が１５０ドット以下であるので、表示能力が色数２５６、幅１００ドット、高さ１５０ドットである表示部１１においてデータ効率の高い表示が可能となる。
【００３５】
本発明の別の実施形態を図５のフローチャートを参照しつつ説明する。
【００３６】
この実施形態は、ＢＭＰフォーマットのデータを受信して表示する際の処理に特徴がある。
【００３７】
すなわち、この実施形態では、ＢＭＰフォーマットのデータの受信を開始した後（ステップＳ41）、その受信データと、データ保存用記憶装置７に保存されているＢＭＰフォーマットのデータとの画像内容を比較し、その両者が一致しているか否かを判定する（ステップＳ42，Ｓ43）。
【００３８】
受信中のＢＭＰフォーマットのデータが、データ保存用記憶装置７内のデータと一致する場合には、ＢＭＰフォーマットのデータ受信を中止した後（ステップＳ44）、データ保存用記憶装置７に保存されているＢＭＰフォーマットのデータを、一時保存用記憶装置６に複写し（ステップＳ45）、次いで、一時保存用記憶装置６内のＢＭＰフォーマットのデータを、表示部１１に出力して表示する（ステップＳ46，Ｓ47）。このとき、ＢＭＰフォーマットのデータは、色数が２５６以下、画像幅が１００ドット以下、画像高が１５０ドット以下であるので、表示能力が色数２５６、幅１００ドット、高さ１５０ドットである表示部１１においてデータ効率の高い表示が可能となる。
【００３９】
一方、受信中のＢＭＰフォーマットのデータが、データ保存用記憶装置７内のデータと一致しない場合には、ＢＭＰフォーマットのデータ受信を継続し（ステップＳ48）、その受信データに対して、前記した図２と同じ処理を行って、受信データを容量の小さいＢＭＰフォーマットのデータに変換してデータ保存用記憶装置７に保存した後（ステップＳ49，Ｓ50）、ステップＳ45に移行して、ＢＭＰフォーマットのデータを表示する。なお、受信したＢＭＰフォーマットのデータの容量が小さい場合、つまり色数・画像幅・画像高の各情報が前記した基準値を超えていない場合は、受信したＢＭＰフォーマットのデータ（一時保管用記憶装置６に保持したデータ）を、そのままの状態でデータ保存用記憶装置７に保存した後にステップＳ45に移行して、ＢＭＰフォーマットのデータを表示する。
【００４０】
【発明の効果】
以上説明したように、本発明の通信端末によれば、信号受信時に画像表示用データから色数と画素数を取得し、それら色数または画素数が基準値を超えているときには、画像表示用データから色数・画素数を減じて容量の少ない画像表示用データに変換して保存するので、メモリを効率良く使用することができ、一定のメモリに対して保存できる画像表示用データの数量が増大する。
【図面の簡単な説明】
【図１】本発明の実施形態の構成を示すブロック図である。
【図２】本発明の実施形態の動作内容を示すフローチャートである。
【図３】本発明の他の実施形態の動作内容を示すフローチャートである。
【図４】本発明の別の実施形態の動作内容を示すフローチャートである。
【図５】本発明の別の実施形態の動作内容を示すフローチャートである。
【符号の説明】
Ｍ  携帯電話端末
１  無線送受信部
２  音声処理部
３  スピーカ
４  マイク
５  制御部
６  一時保存用記憶装置
７  データ保存用記憶装置
８  データ取得手段
９  色数・画素数取得手段
１０  データ変換手段
１１  表示部
１２  キー入力部
【図１】
0003816310.tif 000002
【図２】
0003816310.tif 000003
【図３】
0003816310.tif 000004
【図４】
0003816310.tif 000005
【図５】
0003816310.tif 000006